(57)【特許請求の範囲】
【請求項１】
電力供給側から電力供給線を通じて負荷側変電所に送電された三相交流を２組の単相交流に変換してそれぞれ二方向に供給し、前記電力供給線を前記電力供給側において保護継電装置により電流を監視するＣＴ監視をして、前記二方向の負荷状況に応じて前記ＣＴ監視の整定変更を行う電力供給線監視システムであって、
前記負荷側変電所における負荷情報を入力する入力装置と、この入力装置から得た前記負荷情報を前記電力供給側へ送信する第１の通信装置と、前記電力供給側に設けられて前記第１の通信装置から前記負荷情報を受信する第２の通信装置と、この第２の通信装置から得た前記負荷情報を基に前記保護継電装置に対して整定変更の制御を行う出力装置とを備え、
前記入力装置は、前記２組の単相交流の一方を第１の負荷へ供給する第１の供給経路を遮断する第１の遮断器と、前記２組の単相交流の他方を第２の負荷へ供給する第２の供給経路を遮断する第２の遮断器と、前記第１の負荷へ流れる電流を検出する第１の電流検出器と、前記第２の負荷へ流れる電流を検出する第２の電流検出器とを備え、前記各遮断器の切断または切断されないことにより得られる遮断条件と、前記各電流検出器から得られる電流条件とを負荷情報とし、
前記出力装置は、
前記負荷情報の遮断条件と前記負荷情報の電流条件とを基にした演算により、前記２つの遮断器が切断されていない場合に、２組の単相交流がそれぞれ二方向に供給しているときに、ＣＴ監視を所定時間継続させるように前記保護継電装置に対して整定変更の制御を行い、
前記負荷情報の遮断条件と前記負荷情報の電流条件とを基にした演算により、前記２つの遮断器の一方が切断されている場合に、２組の単相交流の一方が二方向に供給しているときに、ＣＴ監視をロックさせるように前記保護継電装置に対して整定変更の制御を行う、
ことを特徴とする電力供給線監視システム。
【請求項２】
前記負荷側変電所が、変形ウッドブリッジ結線変圧器を用いる、
ことを特徴とする請求項１に記載の電力供給線監視システム。
【発明の詳細な説明】
【技術分野】
【０００１】
本発明は、電力供給側から電力供給線を通じて負荷側変電所に送電された電力を二方向に供給し、これら二方向の負荷状況に応じてＣＴ監視の整定変更を行う電力供給線監視システムに関する。
【背景技術】
【０００２】
ＪＲ（負荷側）により運行される新幹線は、電力供給側の変電所から電力供給線を通じてＪＲ新幹線変電所（以下、負荷側変電所と称する）に送電された三相交流を、負荷側変電所で２組の単相交流に変換してこれらの電力を上り方向および下り方向（二方向）の架線にそれぞれ供給して車両を走行させている。
【０００３】
この場合、三相交流を送電する各電力供給線には電力供給側において保護継電装置（ＬＰ、ＢＰ、ＣＢＦ、ＢＴＳなど）を備えるリレー盤が設けられて、このリレー盤によって各電力供給線からＣＴ（変流器）に入力される電流（または電圧）を予め決められた時限（例えば２０秒間）監視して、各電力供給線に流れる負荷電流のバランス状況をチェックしている。ここで、各電力供給線にそれぞれ接続されている負荷が平衡していない場合には、各電力供給線に流れる負荷電流が不平衡（アンバランス）になるので、リレー盤は不平衡が２０秒間継続したことを確認した上で送電系統に故障が生じたと判断して、保護継電装置を不使用にするように制御する。例えば、各電力供給線のうち何らかの原因で１本が断線したとすると、この断線した電力供給線には負荷電流が流れないので負荷電流が不平衡になるため、リレー盤は故障が生じたと判断する。逆に、負荷が平衡している場合には負荷電流が平衡して流れるので、リレー盤はＣＴ監視を所定時限（上記の例では２０秒間）継続するように制御する。
【０００４】
ここで、例えば山陽新幹線管内における負荷側変電所では、三相交流の平衡を保持したままで単相交流を取り出すことができる変形ウッドブリッジ結線による変圧器が用いられている。このような変形ウッドブリッジ結線変圧器によれば、負荷側変電所では一次巻線の中性点を直接接地することにより、例えば２２０ｋＶの超高圧電圧を電力供給側の変電所から専用の供給線を通じて直接受電して架線に供給することができる。
【０００５】
図４は、上記変形ウッドブリッジ結線変圧器を示す概略構成図で、この変形ウッドブリッジ結線変圧器は、電力供給側の変電所から専用の電力供給線を通じて送電されたＲ相（第１相）、Ｓ相（第２相）、Ｔ相（第３相）の三相交流がスター結線された１次側巻線１１と、Ｒ、Ｓ、Ｔ相がデルタ結線されてＳ、Ｔ相から第１の単相交流を出力するとともに、Ｒ相から第２の単相交流を出力する２次側巻線１２と、一方側の出力である例えばＲ相からの第２の単相交流の電圧を昇圧して他方側の出力であるＳ、Ｔ相からの第１の単相交流の電圧と同一にするための昇圧変圧器１３とを備えている。ここで、Ｓ、Ｔ相から出力される第１の単相交流はＡ座負荷１４（例えば上りの東京方向の車両）に供給され、Ｒ相から出力される第２の単相交流はＢ座負荷１５（例えば下りの博多方向の車両）に供給されるように構成されている。
【０００６】
ところで、上記のような変形ウッドブリッジ結線変圧器を用いて負荷側変電所から車両に電力を供給する場合、ＪＲは上り方向と下り方向の車両を同時に走行させるのではなく、例えば上り方向に２本、下り方向に１本といったように上下方向で偏って車両を走行させているので、負荷が平衡しないため一次側巻線１１に流れる負荷電流は不平衡になる。例えば、下り方向のみに車両が走行している時間を考えると、この時間には上り方向の車両が走行していない（Ａ座負荷はない）ので、図５に示すように二次側巻線１２のＲ相からのみの負荷電流ＩｂがＢ座負荷に流れる。したがって、一次側巻線１１には１本の電力供給線にしか負荷電流が流れず、他の２本の電力供給線には負荷電流が流れないので負荷電流は不平衡になる。一方、上り方向のみに車両が走行している時間を考えると、この時間には下り方向の車両が走行していない（Ｂ座負荷はない）ので、図６に示すように二次側巻線１２のＳ、Ｔ相からのみの負荷電流ＩａがＡ座負荷に流れる。したがって、一次側巻線１１には２本の電力供給線にしか負荷電流が流れず、残りの１本には負荷電流が流れないので、この場合も負荷電流は不平衡になる。このように上り方向の走行時にはＳ、Ｔ相からのみの負荷電流ＩａがＡ座負荷に流れ、一方下り方向の走行時にはＲ相からのみの負荷電流ＩｂがＢ座負荷に流れるのが新幹線の常時の運行状況になっている。
【０００７】
上記のような新幹線の場合のリレー盤によるＣＴ監視の時限は、その負荷状況を考慮して例えば６００秒（１０分間）に整定されている。そして、このＣＴ監視中に上記のように不平衡負荷電流が６００秒継続して流れると、実際には故障していないのにもかかわらず、電力供給側のリレー盤は送電系統に故障が生じたと判断して、保護継電装置を不使用にしてしまうことがある。したがって、電力供給線を保護する手段がなくなるので、重大な事故に結びつくおそれがあり、最悪の場合変電所が機能しなくなる。
【０００８】
ところで、上記のような新幹線の運行状況において、負荷側において電力供給系統の変更、負荷変動または事故などが発生して、例えば図４のＡ座負荷１４への電力供給経路が遮断されることがある。この場合にはＲ相からの第２の単相交流がＢ座負荷１５に対してだけでなく、Ａ座負荷１４へも共通に供給されるように構成されているので、Ｒ相のみに大きな負荷電流が６００秒継続して流れる。したがって、リレー盤はＣＴ監視の結果送電系統に故障が生じたと判断して、保護継電装置を不使用にするように制御する。このような事態を回避するため、保護継電装置が不使用になる原因が負荷側の計画的作業である場合には、電力供給側は事前に負荷側から連絡をもらってＣＴ監視をロックするように整定変更する。この整定変更は、作業者が現地に出かけて継電装置整定票に基づいてリレー盤をマニュアルで操作して行うが、現地へ到着するまでの時間、作業時間などを確保しなければならず、連絡を受けてから整定変更が終了するまでにある程度の時間、いわゆるタイムラグが生ずる。
【０００９】
ここで、ＣＴ監視をロックした場合は、該当している区間の電力供給線の保護継電装置が使えなくなってしまうので、もしこの区間で事故が起きたとするとその保護継電装置が切れていることにより、その電力供給線の先の箇所またはそこから分岐している電力供給線の保護継電装置が動作してしまうことになる。このため、その先以降の電力供給線に影響を与えることになり、電力供給が不可能になるので、広い地域で大きな被害を受けるようになる。したがって、ＣＴ監視をロックする場合には、上記のようなタイムラグを短縮すべく極力その監視時限を短くすることが望ましい。
【００１０】
上記のような変形ウッドブリッジ結線変圧器を用いた新幹線用電力供給設備において、電源障害を解消するとともに受電電力量の平均化を図るようにした電源障害対策装置が提供されている（例えば、特許文献１参照。）。
【特許文献１】特開平５−２０７６６０号公報
【発明の開示】
【発明が解決しようとする課題】
【００１１】
ところで、従来においては上記のように保護継電装置が不使用になる原因が負荷側の計画的作業である場合には事前に負荷側から連絡を受けて、電力供給側でＣＴ監視をロックするように整定変更を行って保護継電装置が不使用になるのを回避しているが、負荷側からの緊急の要請で時間的余裕がないままで整定変更が必要になる場合がある。しかしながらこのような緊急の要請があったときは、電力供給側の作業者が現地へ到着するまでの時間、作業時間などを確保するのが困難なので、要請に対応できない場合が多い。
【００１２】
また、特許文献１に記載されている新幹線用電力供給設備では、変形ウッドブリッジ結線変圧器を用いることが示されているだけで、電力供給線のＣＴ監視の整定変更を行う場合に生ずる問題については全く触れられていない。
【００１３】
そこで本発明は、電力供給側において緊急にＣＴ監視の整定変更が必要になった場合でも、人的な対応を必要とすることなく、ＣＴ監視の整定変更を自動的に行うことができる電力供給線監視システムを提供することを目的としている。
【課題を解決するための手段】
【００１４】
上記目的を達成するために請求項１に記載の発明は、電力供給側から電力供給線を通じて負荷側変電所に送電された三相交流を２組の単相交流に変換してそれぞれ二方向に供給し、前記電力供給線を前記電力供給側において保護継電装置により電流を監視するＣＴ監視をして、前記二方向の負荷状況に応じて前記ＣＴ監視の整定変更を行う電力供給線監視システムであって、前記負荷側変電所における負荷情報を入力する入力装置と、この入力装置から得た前記負荷情報を前記電力供給側へ送信する第１の通信装置と、前記電力供給側に設けられて前記第１の通信装置から前記負荷情報を受信する第２の通信装置と、この第２の通信装置から得た前記負荷情報を基に前記保護継電装置に対して整定変更の制御を行う出力装置とを備え、前記入力装置は、前記２組の単相交流の一方を第１の負荷へ供給する第１の供給経路を遮断する第１の遮断器と、前記２組の単相交流の他方を第２の負荷へ供給する第２の供給経路を遮断する第２の遮断器と、前記第１の負荷へ流れる電流を検出する第１の電流検出器と、前記第２の負荷へ流れる電流を検出する第２の電流検出器とを備え、前記各遮断器の切断または切断されないことにより得られる遮断条件と、前記各電流検出器から得られる電流条件とを負荷情報とし、前記出力装置は、前記負荷情報の遮断条件と前記負荷情報の電流条件とを基にした演算により、前記２つの遮断器が切断されていない場合に、２組の単相交流がそれぞれ二方向に供給しているときに、ＣＴ監視を所定時間継続させるように前記保護継電装置に対して整定変更の制御を行い、前記負荷情報の遮断条件と前記負荷情報の電流条件とを基にした演算により、前記２つの遮断器の一方が切断されている場合に、２組の単相交流の一方が二方向に供給しているときに、ＣＴ監視をロックさせるように前記保護継電装置に対して整定変更の制御を行う、ことを特徴としている。
【００１７】
請求項２に記載の発明は、請求項１に記載の電力供給線監視システムにおいて、前記負荷側変電所が変形ウッドブリッジ結線変圧器を用いることを特徴としている。
【発明の効果】
【００２３】
請求項１に記載の発明によれば、電力供給側は負荷側変電所から通信装置を通じて得た負荷情報に基づいて保護継電装置を制御することができるので、緊急にＣＴ監視の整定変更が必要になった場合でも、人的な対応を必要とすることなく、ＣＴ監視の整定変更を自動的に行うことができる。また、第１および第２の遮断器がともに切断されていない場合は、ＣＴ監視を所定時限継続させるように整定変更を自動的に行うことができ、第１および第２の遮断器のいずれか一方が切断された場合は、ＣＴ監視をロックさせるように整定変更を自動的に行うことができる。
【００２６】
請求項２に記載の発明によれば、超高圧電圧を電力供給側から専用の供給線を通じて直接受電するのに適した変形ウッドブリッジ結線変圧器を用いた負荷側変電所に適用することにより、ＣＴ監視の整定変更を自動的に行うことができる。
【発明を実施するための最良の形態】
【００３２】
以下、本発明を図示の実施形態に基づいて説明する。
【００３３】
図１は、本発明の実施形態に係る電力供給線監視システム１を示す概略構成図である。この電力供給線監視システム１は、負荷側変電所４におけるＣＢ・潮流情報（負荷情報）５を入力する入力装置６と、この入力装置６から得た負荷情報５を電力供給側へ送信する第１の通信装置７と、電力供給側に設けられて第１の通信装置７から負荷情報５を受信する第２の通信装置８と、この第２の通信装置８から得た負荷情報５を基にリレー盤（保護継電装置）１０に対して整定変更の制御を行う出力装置９とを備えている。ここで、負荷側変電所４における負荷情報５は、後述するように入力装置６に設けられた遮断器（ＣＢ）および電流検出器（Ｉ）によって得られる。
【００３４】
入力装置６は、図２に示すように、負荷側変電所を構成している変形ウッドブリッジ結線変圧器（図４に図示）において、２組の単相交流の一方（例えばＳ、Ｔ相から出力される第１の単相交流）が第１の負荷（例えば上りの東京方向の車両であるＡ座負荷）へ供給される第１の供給経路を遮断する第１の遮断器ＣＢ1)（符号「１）」を図面中では○に１で表記している）と、２組の単相交流の他方（例えばＲ相から出力される第２の単相交流）が第２の負荷（例えば下りの博多方向の車両であるＢ座負荷）へ供給される第２の供給経路を遮断する第２の遮断器ＣＢ2)（符号「２）」を図面中では○に２で表記している）とが接続される。また、第１の負荷であるＡ座負荷へ流れる電流を検出する第１の電流検出器Ｉ1)（符号「１）」を図面中では○に１で表記している）と、第２の負荷であるＢ座負荷へ流れる電流を検出する第２の電流検出器Ｉ2)（符号「２）」を図面中では○に２で表記している）とが接続されている。さらに、第１の負荷であるＡ座負荷と第２の負荷であるＢ座負荷との接続経路には第３の遮断器ＣＢ3)（符号「３）」を図面中では○に３で表記している）が接続されている。この第３の遮断器ＣＢ3)は、第１または第２の遮断器ＣＢ1)、ＣＢ2)のいずれか一方が切断（オフ）された場合には接続（オン）されるように、また第１および第２の遮断器ＣＢ1)、ＣＢ2)がともに接続された場合は、切断されるように構成されている。これによって、一方の単相交流の供給が不可になった場合でも、残っている他方の単相交流が両負荷に供給可能になるように構成されている。
【００３５】
新幹線の常時の運行状況においては、前記したように  第１および第２の遮断器ＣＢ1),ＣＢ2)がともに切断されていない（接続されている）ことにより、Ｓ、Ｔ相から出力される第１の単相交流はＡ座負荷に供給される一方、Ｒ相から出力される第２の単相交流はＢ座負荷に供給されるように構成されているので、ＣＴ監視を６００秒間継続させるように整定変更する。
【００３６】
また、第１の遮断器ＣＢ1)または第２の遮断器2)のいずれか一方が切断されている場合には、Ｓ、Ｔ相から出力される第１の単相交流またはＲ相から出力される第２の単相交流は、Ａ座負荷およびＢ座負荷に共通に供給されるように構成されているので、不平衡な負荷電流が流れるため、ＣＴ監視をロックさせるように整定変更する。
【００３７】
このように、基本的に第１および第２の遮断器ＣＢ1)、ＣＢ2)の切断あるいは切断されない状況を負荷情報として電力供給側のリレー盤（保護継電装置）１０に反映させることにより、ＣＴ監視の整定変更を自動的に行わせることができる。
【００３８】
図３は、本実施形態に係る電力供給線監視システム１によりＣＴ監視を行う方法を示すシーケンスである。このシーケンスは、電力供給側の出力装置９により行われて、前記した第１及び第２の遮断器ＣＢ1)、ＣＢ2)の切断、または切断されないことにより得られる遮断条件と、第１及び第２の電流検出器Ｉ1)、Ｉ2)から得られる電流条件とを組み合わせて、各入力データを第１の論理積（ＡＮＤ）ゲート１６Ａ〜第４の論理積ゲート１６Ｄおよび第１の論理和（ＯＲ）ゲート１７Ａ〜第３の論理和ゲート１７Ｃを入力させた後、ロック整定出力ゲート１８または６００秒整定出力ゲート１９のいずれかに入力させて、リレー盤（保護継電装置）１０を制御することで、ＣＴ監視を６００秒間継続させるか、ロックさせるかの切替えが自動的に行われる。図３において、○印は反転器を示し、αは平衡度監視レベルを示し、βは潮流監視レベルを示している。
【００３９】
平衡度監視レベルαは、三相に流れる負荷電流が不平衡とみなせるレベルを示し、各相間の電流差が二次側電流（定格で５Ａ）の１０％（０．５Ａ）以上であれば不平衡とみなすようにして、０．５Ａがαとなる。また、潮流監視レベルβは、三相に流れる負荷電流が不平衡である場合に、三相間での最大の負荷電流がどの程度のレベルかを示し、負荷に応じて予め決定される。例えば、三相のＲ相の電流Ｉｒ＝３．５Ａ、Ｓ相の電流Ｉｓ＝３．０Ａ、Ｔ相の電流Ｉｔ＝２．５Ａとすると、最大の負荷電流である３．５Ａがβとなる。
【００４０】
次に、図３を参照して、本実施形態に係る電力供給線監視システム１による監視方法について説明する。ここで、前提条件として、第１または第２の遮断器ＣＢ1)、ＣＢ2)が切断されたときはデータ「１」が、切断されないときはデータ「０」がそれぞれ出力されるものとする。また、第１または第２の電流検出器Ｉ1)、Ｉ2)により検出された差電流Ｉｄ1)（符号「１）」を図面中では○に１で表記している）、Ｉｄ2)（符号「２）」を図面中では○に２で表記している）がそれぞれＩｄ1)≧α、Ｉｄ2)≧αの条件を満足するときはデータ「１」が、満足しないときはデータ「０」がそれぞれ出力されるものとする。また、第１または第２の電流検出器Ｉ1)、Ｉ2)により検出された電流Ｉ1)、Ｉ2)がそれぞれＩ1)≧β、Ｉ2)≧βを満足するときはデータ「１」が、満足しないときはデータ「０」がそれぞれ出力されるものとする。
【００４１】
（１）第１および第２の遮断器ＣＢ1)、ＣＢ2)がともに切断されない場合
第１の遮断器ＣＢ1)からデータ「０」が出力されてこのデータが第２の論理積ゲート１６Ｂに入力されるとともに、このデータが反転器によりデータ「１」に反転されて第１の論理積ゲート１６Ａに入力される。また、第２の遮断器ＣＢ2)からデータ「０」が出力されてこのデータが第１の論理積ゲート１６Ａに入力されるとともに、このデータが反転器によりデータ「１」に反転されて第２の論理積ゲート１６Ｂに入力される。この結果、第１および第２の論理積ゲート１６Ａ、１６Ｂからともにデータ「０」が出力されて、それぞれ第３および第４の論理積ゲート１６Ｃ、１６Ｄに入力される。
【００４２】
また、第１および第２の遮断器ＣＢ1)、ＣＢ2)が切断されていないことにより上記Ｉｄ1)≧α、Ｉｄ2)≧αの条件を満足しないので、第１および第２の電流検出器Ｉ1)、Ｉ2)からは、ともにデータ「０」が出力されてこれらのデータが第１の論理和ゲート１７Ａに入力される。この結果、第１の論理和ゲート１７Ａからデータ「０」が出力されて、第３および第４の論理積ゲート１６Ｃ、１６Ｄにそれぞれ入力される。したがって、第３および第４の論理積ゲート１６Ｃからともにデータ「０」が出力されて、第３の論理和ゲート１７Ｃに入力される。
【００４３】
また、第１および第２の遮断器ＣＢ1)、ＣＢ2)が切断されていないことにより上記Ｉ1)≧β、Ｉ2)≧βを満足しないので、第１および第２の電流検出器Ｉ1)、Ｉ2)からは、ともにデータ「０」が第２の論理和ゲート１７Ｂに入力される。この結果、第２の論理和ゲート１７Ｂからデータ「０」が出力されて、第３の論理和ゲート１７Ｃに出力される。
【００４４】
したがって、第３の論理和ゲート１７Ｃからはデータ「０」が出力されてこのデータが反転器によりデータ「１」に反転されて６００秒整定出力ゲート１９に入力される。この結果、６００秒整定出力ゲート１９はリレー盤１０を制御してＣＴ監視を６００秒継続させるように整定変更する。
【００４５】
このように、第１および第２の遮断器ＣＢ1)、ＣＢ2)がともに切断されない場合には、これら第１および第２の遮断器ＣＢ1)、ＣＢ2)から出力されたデータに基づいて、６００秒整定出力ゲート１９を動作させるシーケンスが自動的に実行されるので、ＣＴ監視の整定変更を自動的に行うことができる。
【００４６】
（２）第１および第２の遮断器ＣＢ1)、ＣＢ2)がともに切断された場合
第１の遮断器ＣＢ1)からデータ「１」が出力されてこのデータが第２の論理積ゲート１６Ｂに入力されるとともに、このデータが反転器によりデータ「０」に反転されて第１の論理積ゲート１６Ａに入力される。また、第２の遮断器ＣＢ2)からデータ「１」が出力されてこのデータが第１の論理積ゲート１６Ａに入力されるとともに、このデータが反転器によりデータ「０」に反転されて第２の論理積ゲート１６Ｂに入力される。この結果、第１および第２の論理積ゲート１６Ａ、１６Ｂからともにデータ「０」が出力されて、それぞれ第３および第４の論理積ゲート１６Ｃ、１６Ｄに入力される。
【００４７】
また、第１および第２の遮断器ＣＢ1)、ＣＢ2)がともに切断されていることにより上記Ｉｄ1)≧α、Ｉｄ2)≧αの条件を満足するので、第１および第２の電流検出器Ｉ1)、Ｉ2)からは、ともにデータ「１」が出力されてこれらのデータが第１の論理和ゲート１７Ａに入力される。この結果、第１の論理和ゲート１７Ａからデータ「１」が出力されて、第３および第４の論理積ゲート１６Ｃ、１６Ｄにそれぞれ入力される。したがって、第３および第４の論理積ゲート１６Ｃからともにデータ「０」が出力されて、第３の論理和ゲート１７Ｃに入力される。
【００４８】
また、第１および第２の遮断器ＣＢ1)、ＣＢ2)がともに切断されていることにより上記Ｉ1)≧β、Ｉ2)≧βを満足するので、第１および第２の電流検出器Ｉ1)、Ｉ2)からは、ともにデータ「１」が第２の論理和ゲート１７Ｂに入力される。この結果、第２の論理和ゲート１７Ｂからデータ「１」が出力されて、第３の論理和ゲート１７Ｃに出力される。
【００４９】
したがって、第３の論理和ゲート１７Ｃからはデータ「１」が出力されてこのデータが
ロック整定出力ゲート１８に入力される。この結果、ロック整定出力ゲートはリレー盤１０を制御してＣＴ監視をロックさせるように整定変更する。
【００５０】
このように、第１および第２の遮断器ＣＢ1)、ＣＢ2)がともに切断された場合には、これら第１および第２の遮断器ＣＢ1)、ＣＢ2)から出力されたデータに基づいて、ロック整定出力ゲート１８を動作させるシーケンスが自動的に実行されるので、ＣＴ監視の整定変更を自動的に行うことができる。
【００５１】
（３）第１および第２の遮断器ＣＢ1)、ＣＢ2)のいずれか一方が切断された場合
例えば、第１の遮断器ＣＢ1)が切断されて、第２の遮断器ＣＢ2)が切断されない例で説明する。第１の遮断器ＣＢ1)からデータ「１」が出力されてこのデータが第２の論理積ゲート１６Ｂに入力されるとともに、このデータが反転器によりデータ「０」に反転されて第１の論理積ゲート１６Ａに入力される。また、第２の遮断器ＣＢ2)からデータ「０」が出力されてこのデータが第１の論理積ゲート１６Ａに入力されるとともに、このデータが反転器によりデータ「１」に反転されて第２の論理積ゲート１６Ｂに入力される。この結果、第１の論理積ゲート１６Ａからデータ「０」が出力され、一方第２の論理積ゲート１６Ｂからデータ「１」が出力されて、それぞれ第３および第４の論理積ゲート１６Ｃ、１６Ｄに入力される。
【００５２】
また、第１の遮断器ＣＢ1)が切断されていることにより上記Ｉｄ1)≧αの条件を満足するので、第１の電流検出器Ｉ1)からはデータ「１」が出力されてこのデータが第１の論理和ゲート１７Ａに入力される。この結果、第１の論理和ゲート１７Ａからデータ「１」が出力されて、第３および第４の論理積ゲート１６Ｃ、１６Ｄにそれぞれ入力される。したがって、第４の論理積ゲート１６Ｄからデータ「１」が出力されて、第３の論理和ゲート１７Ｃに入力される。
【００５３】
また、第１の遮断器ＣＢ1)が切断されていることにより上記Ｉ1)≧βを満足するので、第１の電流検出器Ｉ1)からはデータ「１」が第２の論理和ゲート１７Ｂに入力される。この結果、第２の論理和ゲート１７Ｂからデータ「１」が出力されて、第３の論理和ゲート１７Ｃに出力される。
【００５４】
したがって、第３の論理和ゲート１７Ｃからはデータ「１」が出力されてこのデータがロック整定出力ゲート１８に入力される。この結果、ロック整定出力ゲートはリレー盤１０を制御してＣＴ監視をロックさせるように整定変更する。
【００５５】
このように、第１および第２の遮断器ＣＢ1)、ＣＢ2)のうちいずれか一方が、例えば、第１の遮断器ＣＢ1)が切断された場合には、第１および第２の遮断器ＣＢ1)、ＣＢ2)から出力されたデータに基づいて、ロック整定出力ゲート１８を動作させるシーケンスが自動的に実行されるので、ＣＴ監視の整定変更を自動的に行うことができる。なお、上記の設定例と逆に第２の遮断器ＣＢ2)の側を切断した場合においても、第３の論理積ゲート１６Ｃと第４の論理積ゲート１６Ｄとの出力が入れ替わるだけで同様なシーケンス動作が行われる。また、前記の設定例において、切断されていた第１の遮断器ＣＢ1)が接続されるように修復された場合には、新幹線の常時の運行状況に戻るので、ＣＴ監視は自動的に６００秒継続するように切替えられる。また、切断されていない第２の遮断器ＣＢ2)も切断された場合には、前記の（２）の設定になるので、ＣＴ監視は自動的にロックするように切替えられる。
【００５６】
以上のような本実施形態に係る電力供給線監視システム１による監視方法によれば、負荷側変電所４からの負荷情報５が第１および第２の無線装置６，７を通じて出力装置９に出力され、出力装置９は負荷情報５基にリレー盤１０に対して整定変更の制御を行うので、電力供給側において緊急にＣＴ監視の整定変更が必要になった場合でも、人的な対応を必要とすることなく、ＣＴ監視の整定変更を自動的に行うことができるようになる。すなわち、負荷側変電所の変形ウッドブリッジ結線変圧器における負荷情報が第１および第２の通信装置６，７を通じて常に電力供給側のリレー盤１０に伝達されるので、リレー盤１０はその負荷情報に基づいてＣＴ監視を６００秒間継続させるか、ロックさせるかの切替えを自動的に行うことができる。したがって、人的な対応が不要になったことに伴って、従来のように負荷側から連絡を受けてから電力供給側において整定変更の作業が終了するまでに生ずるタイムラグをほぼなくすことができる。同様にして、一方の整定（例えばロック）が終了してから他方の整定（例えば６００秒監視）に切替わる場合も、タイムラグをほぼなくしてタイムリーに切替えることができるようになる。また、上記のように自動的にＣＴ監視の整定変更が行われることにより、突発的に事故が起きて負荷側から事前に連絡がなかったような場合にも対応させることができる。また、電力供給側においては作業者の手配が不要になり、継電装置整定票も不要になる。
【００５７】
以上、本発明の実施形態について説明したが、具体的構成は、本実施形態に限られるものではなく、本発明の要旨を逸脱しない範囲の設計の変更などがあっても、本発明に含まれる。例えば、本実施形態の変形例として、図３に示したシーケンスに、第３の遮断器ＣＢ3)を構成要素として加えて制御するようにしてもよく、これによってロック整定出力ゲート１８あるいは６００秒整定出力ゲート１９を動作させる制御精度を向上させることが可能となる。また、例えば電力供給側から電力の供給を受ける負荷側変電所において変形ウッドブリッジ結線変圧器を用いている場合には、特定の負荷に限らずに他の負荷にも適用することができる。また、ＣＴ監視を所定時限継続させる整定変更を行う場合は、時限を６００秒間に限ることはない。また、本発明を実施するシーケンスの構成は、本文に例示した論理ゲートの組み合わせに限らず、他の論理ゲートの組み合わせを利用することも可能である。
【図面の簡単な説明】
【００５８】
【図１】本発明の実施形態に係る電力供給線監視システムを示す概略構成図。
【図２】本発明の実施形態に係る電力供給線監視システムの入力装置を示す概略構成図。
【図３】本発明の実施形態に係る電力供給線監視システムによりＣＴ監視の整定変更を行う方法を示すシーケンス。
【図４】変形ウッドブリッジ結線変圧器を示す概略構成図。
【図５】変形ウッドブリッジ結線変圧器の動作の一態様を示す概略構成図。
【図６】変形ウッドブリッジ結線変圧器の動作の一態様を示す概略構成図。
【符号の説明】
【００５９】
１              電力供給線監視システム
２              電力供給側
３              負荷側電力供給線
４              負荷側変電所
５              ＣＢ・潮流情報（負荷情報）
６              入力装置
７              負荷側の通信装置
８              電力供給側の通信装置
９              出力装置
１０            リレー盤（保護継電装置）
１１            変形ウッドブリッジ結線変圧器の一次側巻線
１２            変形ウッドブリッジ結線変圧器の二次側巻線
１３            変形ウッドブリッジ結線変圧器の昇圧変圧器
１４            Ａ座負荷
１５            Ｂ座負荷
１６Ａ〜１６Ｄ  論理積ゲート
１７Ａ〜１７Ｃ  論理和ゲート
１８            ロック整定出力ゲート
１９            ６００秒整定出力ゲート
ＣＢ1)〜ＣＢ3)  遮断器
Ｉ1)、Ｉ2)      電流検出器
【図１】
0004684153.tif 000002
【図２】
0004684153.tif 000003
【図３】
0004684153.tif 000004
【図４】
0004684153.tif 000005
【図５】
0004684153.tif 000006
【図６】
0004684153.tif 000007